(57)【特許請求の範囲】
【請求項１】
光起電力モジュールが組み込まれたルーフパネルを製造する方法であって、少なくとも、
（ａ）光起電性の層システム（６）を熱可塑性層（３）内に設けるステップと、
（ｂ）前記熱可塑性層（３）を、少なくとも１種のポリマを含む基板（１）と外側パネル（２）との間に層状に配置するステップと、
（ｃ）前記基板（１）を前記外側パネル（２）に前記熱可塑性層（３）を介して、熱作用下で、かつ／又は真空作用下で、かつ／又は圧力作用下で接合させるステップと、を有し、
前記光起電性の層システム（６）は、前側電極層（１２）と背側電極層（１０）との間に少なくとも１つの光起電に関して活性の吸収層（１１）を有しており、該光起電に関して活性の吸収層（１１）は少なくとも、銅−インジウム−ガリウム−硫黄／セレン（ＣＩＧＳ）を含み、前記吸収層（１１）は５００ｎｍ〜５μｍの厚さを有し、
前記基板（１）は少なくとも１種のポリマを含み、前記基板（１）はフレキシブルなフィルムとして形成されていて、０．０２〜２ｍｍの厚さを有し、
前記基板（１）はガラスを含んでおらず、前記外側パネル（２）はガラスを含んでおり、前記ステップ（ｃ）よりも前に、前記基板（１）の、前記外側パネル（２）とは反対の表面上に分離フィルム（１３）を配置し、当該分離フィルム（１３）の、前記基板（１）とは反対の表面上に支持パネル（１４）を配置し、
（ｄ）前記基板（１）と前記外側パネル（２）との接合後、前記分離フィルム（１３）と前記支持パネル（１４）とを取り除くことを特徴とする、光起電力モジュールが組み込まれたルーフパネルを製造する方法。
【請求項２】
前記ステップ（ａ）において前記ステップ（ｃ）の前に、前記光起電性の層システム（６）を少なくとも１つの第１の熱可塑性フィルム（４）と第２の熱可塑性フィルム（５）との間に配置し、次いで両前記熱可塑性フィルムを、熱作用下で、かつ／又は真空作用下で、かつ／又は圧力作用下で、予め貼り合わせられた１つの熱可塑性層（３）となるように接合させ、前記ステップ（ｂ）において前記予め貼り合わせられた熱可塑性層（３）を前記基板（１）と前記外側パネル（２）との間に配置する、請求項１記載の方法。
【発明の詳細な説明】
【技術分野】
【０００１】
本発明は、光起電力モジュールが組み込まれたルーフパネル、並びに該ルーフパネルを製造する方法、並びに該ルーフパネルの使用に関する。
【０００２】
光起電力モジュールを車両のルーフパネルに組み込むことができることは公知である。このようなルーフパネルは例えば、独国特許出願公開第３７１３８５４号明細書、独国特許出願公開第４００６７５６号明細書、独国特許第４１０５３８９号明細書、米国特許出願公開第２０１２００９７２１８号明細書により公知である。
【０００３】
光起電力モジュールが組み込まれた従来のルーフパネルは典型的には２つのガラスパネルから成る複合パネルとして形成されていて、これら２つのガラスパネルの間に光起電力モジュールが配置されている。このようなルーフパネルには、高い重量を有しているという欠点がある。光起電力モジュールが組み込まれた、特に結晶シリコンをベースとした光起電力モジュールが組み込まれた従来の多くのルーフパネルはさらに、僅かな面積にしか光起電力モジュールを設けることができず、ルーフパネルは僅かな湾曲しか有することができないという欠点を有している。
【０００４】
本発明の課題は、光起電力モジュールが組み込まれた改善されたルーフパネルを提供することである。このルーフパネルは僅かな重量を有するのが望ましい。さらに、ルーフパネルの面積の大部分に光起電力モジュールを設けることができ、ルーフパネルに大きな湾曲を設けることができるのが望ましい。さらにルーフパネルは簡単かつ安価に製造できるのが望ましい。
【０００５】
この課題は本発明によれば、独立請求項１に記載の光起電力モジュールが組み込まれたルーフパネルにより解決される。好ましい構成は従属請求項に記載されている。
【０００６】
本発明による光起電力モジュールが組み込まれたルーフパネルは、熱可塑性層を介して層状に互いに接合されている少なくとも１つの基板と外側パネルとを有しており、光起電性の層システムが前記熱可塑性層内に埋め込まれていて、前記基板は少なくとも１種のポリマを含んでいる。
【０００７】
本発明によるルーフパネルは、例えば車両の内室を屋根の領域で外部環境から区切るために設けられている。この場合、外側パネルは本発明によれば、外部環境に面している。基板は内室に面している。太陽放射は外側パネルを介してルーフパネル内部に入射し、熱可塑性層内部の光起電性の層システムに到る。
【０００８】
本発明による利点は、本発明による基板が少なくとも１種のポリマを含んでいることにある。先行技術によると、光起電力モジュールが組み込まれたルーフパネルは典型的に、貼り合わせにより互いに接合された２つのガラスパネルを有している。これに比べて、本発明によるポリマ基板によれば、ルーフパネルの重量を著しく減じることができる。本発明によるルーフパネルは、ポリマ基板であるにもかかわらず、例えば自動車で使用するのに十分な安定性を有している。さらに、本発明によるルーフパネルは、従来のルーフパネルよりも安価に製造することができる。光起電性の層システムは、熱可塑性層に大面積で配置することができ、著しい湾曲を有したルーフパネルを形成することができる。
【０００９】
基板と外側パネルの互いに反対側を向いた表面が、好適にはルーフパネルの外面を成している。これは、基板と外側パネルの互いに反対側を向いた表面上には、例えば別のパネルといった別のエレメントが配置されていないことを意味している。特に、ポリマ基板の、外側パネルとは反対側を向いた表面上には、ルーフパネルの十分な安定性を得るために別のガラスパネルを配置する必要はない。特別な利点はルーフパネルの重量が僅かであることにある。しかしながら基板と外側パネルの互いに反対側の表面は被覆を有していて良い。ポリマ基板は例えば保護被覆を有していて良く、例えばＵＶ保護層、又は引っかき傷による損傷を回避するための層を有していて良い。
【００１０】
好適には基板はプラスチックから成っている。基板は特に、ガラス、例えばガラスパネルとしてのガラスを含んでいない。特に光起電性の層システムの内室側にはガラスパネルは配置されていない。このことは、本発明によるルーフパネルが、ルーフパネルによって区切られる内室に対して、光起電性の層システムよりも僅かな間隔を有しているガラスパネルを含んでいないことを意味している。
【００１１】
本発明の好適な実施態様では、基板は剛性的なパネルとして形成されている。基板は例えば、少なくともポリエチレン（ＰＥ）、ポリカーボネート（ＰＣ）、ポリプロピレン（ＰＰ）、ポリスチレン（ＰＳ）、ポリブタジエン、ポリニトリル、ポリエステル、ポリウレタン（ＰＵ）、ポリメチルメタクリレート（ＰＭＭＡ）、ポリ塩化ビニル（ＰＶＣ）、ポリアクリレート、ポリアミド、ポリエチレンテレフタレート（ＰＥＴ）、アクリルニトリルブタジエンスチレン（ＡＢＳ）、スチレンアクリロニトリル（ＳＡＮ）、アクリルエステルスチレンアクリロニトリル（ＡＳＡ）、及び／又はこれらのコポリマ又は混合物を含有している。基板は少なくとも１種の熱可塑性ポリマを含んでいる。この基板は特に好適には少なくとも、ポリカーボネート（ＰＣ）、及び／又はポリメチルメタクリレート（ＰＭＭＡ）を含んでいる。この材料は、基板の加工、強度、機械的及び化学的耐性に関して特に好適である。基板の厚さは、好適には０．８ｍｍ〜２５ｍｍ、特に好適には０．８ｍｍ〜４ｍｍ、例えば２．１ｍｍである。剛性のパネルとして形成された基板の特別な利点は、本発明によるルーフパネルの安定性にある。
【００１２】
本発明の別の好適な実施態様では、基板はフレキシブルなフィルムとして形成されている。フレキシブルなフィルムの厚さは、好適には０．０２ｍｍ〜２ｍｍ、特に好適には０．１ｍｍ〜１．５ｍｍ、例えば０．４ｍｍ〜１．５ｍｍ、極めて特に好適には０．１５ｍｍ〜０．８ｍｍ、特に０．４５ｍｍ〜０．８ｍｍである。特別な利点は、本発明によるルーフパネルの僅かな重量と僅かな製造コストにある。フレキシブルなフィルムは好適には少なくとも１種の熱可塑性ポリマを含んでいる。この熱可塑性ポリマは好適にはフッ素置換されている。これは、基板の化学的かつ機械的安定性に関して有利である。基板は極めて特に好適には少なくとも、ポリフッ化ビニル及び／又はポリフッ化ビニリデンを含んでいる。エチレンテトラフルオロエチレン（ＥＴＦＥ）、及び／又はポリテトラフルオロエチレン（ＰＴＦＥ）も同様に好適である。これは、化学的かつ機械的耐性並びに基板に対する熱可塑性層の付着に関して特に有利である。基板はこれらの材料の混合物又はコポリマを含んでいても良い。
【００１３】
本発明の好適な構成では、外側パネルはガラスであって、好適には、フラットガラス、フロートガラス、石英ガラス、ホウケイ酸ガラス、ソーダ石灰ガラスである。これは、本発明によるルーフパネルの安定性、及び外的影響、例えば雹やあられのような降水による損傷からの光起電性の層システムの保護に関して特に有利である。外側パネルは、予負荷されていない、又は部分的に予負荷されている、又は予負荷されている、又は硬化されている、例えば熱的又は化学的に硬化されているものであって良い。
【００１４】
本発明の好適な別の構成では、外側パネルは少なくとも１種のポリマ、好適には熱可塑性ポリマを含んでいる。外側パネルは例えば、少なくともポリエチレン（ＰＥ）、ポリカーボネート（ＰＣ）、ポリプロピレン（ＰＰ）、ポリスチレン（ＰＳ）、ポリブタジエン、ポリニトリル、ポリエステル、ポリウレタン（ＰＵ）、ポリメチルメタクリレート（ＰＭＭＡ）、ポリ塩化ビニル（ＰＶＣ）、ポリアクリレート、ポリアミド、ポリエチレンテレフタレート（ＰＥＴ）、アクリルニトリルブタジエンスチレン（ＡＢＳ）、スチレンアクリロニトリル（ＳＡＮ）、アクリルエステルスチレンアクリロニトリル（ＡＳＡ）、及び／又はこれらのコポリマ又は混合物を含有していて、好適にはポリカーボネート（ＰＣ）、及び／又はポリメチルメタクリレート（ＰＭＭＡ）を含有している。ポリマを含む外側パネルを使用することによりルーフパネルの重量をさらに減じることができる。
【００１５】
外側パネルを、ポリマを含む外側パネルとして形成する場合、好適な構成では基板はフレキシブルなフィルムとして形成されている。従って、極めて僅かな重量を有したルーフパネルを実現することができる。
【００１６】
外側パネルの厚さは、好適には１．０ｍｍ〜１２ｍｍ、特に好適には１．４ｍｍ〜５ｍｍ、例えば２．１ｍｍである。基板がフレキシブルなフィルムとして形成されている場合、外側パネルの厚さは好適には２．８ｍｍ〜５ｍｍである。これによりルーフパネルの好適な安定性が得られる。
【００１７】
熱可塑性層は、少なくとも１種の熱可塑性ポリマ、好適には、エチレンビニルアセテート（ＥＶＡ）、ポリビニルブチラール（ＰＶＢ）、ポリウレタン（ＰＵ）、ポリエチレン（ＰＥ）、及び／又はポリエチレンテレフタレート（ＰＥＴ）を含んでいる。しかしながら熱可塑性層は例えば少なくとも、ポリプロピレン、ポリカーボネート、ポリメチルメタクリレート、ポリアクリレート、ポリ塩化ビニル、ポリアセタール樹脂、注型用樹脂、アクリレート、フッ化エチレンプロピレン、ポリフッ化ビニル、及び／又はエチレンテトラフルオロエチレンを含んでいても良い。熱可塑性層は好適には、０．５ｍｍ〜５ｍｍの、特に好適には１ｍｍ〜３ｍｍの、極めて特に好適には１〜２ｍｍの厚さを有している。
【００１８】
熱可塑性層は好適には、少なくとも１つの第１の熱可塑性フィルムと第２の熱可塑性フィルムとから形成されていて、これらフィルムの間には、光起電性の層システムが配置されている。この場合、各熱可塑性フィルムは好適には、０．２５ｍｍ〜１ｍｍの、特に好適には０．４５ｍｍ〜０．８５ｍｍの厚さを有している。第１の熱可塑性フィルムと第２の熱可塑性フィルムとは同じ、又は異なる材料から成っている。
【００１９】
しかしながら熱可塑性層は２つ以上のフィルムから成っていても良い。別のフィルムは例えば、ルーフパネルの製造前に光起電性の層システムの保護層又は支持層として使用することができる。
【００２０】
例えば３ｍｍ〜５０ｍｍの幅の、熱可塑性層の環状の縁部領域には、好適には光起電性の層システムが設けられていない。この縁部領域において、第１の熱可塑性フィルムと第２の熱可塑性フィルムとは好適には互いに直接に、又は例えば別のポリマ層のような別の層を介して接合されている。これにより光起電性の層構造は、持続的に安定的であって、外的環境に接触することなく熱可塑性層の内部に埋め込まれており、好適には外的影響、特に腐食や機械的損傷から保護されている。
【００２１】
本発明によるルーフパネルは、任意の３次元的な形状を有することができる。ルーフパネルは扁平であって良く、又は僅かに又は多分に、空間の１つの方向又は複数の方向に曲げられていて良い。曲げられたルーフパネルの曲率半径は例えば、５０ｍｍ〜１２００ｍｍであって良い。曲率半径は、ルーフパネル全体にわたって一定である必要はない。著しく曲げられた領域と僅かに曲げられた領域とが存在していて良い。扁平な領域と曲げられた領域とが存在していても良い。光起電力モジュールが組み込まれた従来のルーフパネルでは、曲率半径は典型的には７００ｍｍ〜１０００ｍｍである。これに対して、本発明による熱可塑性層内に埋め込まれた光起電性の層システムと本発明によるポリマ基板とによっては、少なくとも所定の領域で６００ｍｍ〜９００ｍｍの、好適には６００ｍｍ〜６５０ｍｍの曲率半径を有するルーフパネルを実現することができる。
【００２２】
本発明によるルーフパネルの面積は様々に変更可能であり、特に個別のケースの必要に合わせて適合させることができる。ルーフパネルの面積は例えば１００ｃｍ２〜５ｍ２であって良く、好適には０．５ｍ２〜２ｍ２である。
【００２３】
ルーフパネルではしばしば、内室への直接的な太陽光の入射を避けるために、可視光の透過を減じることが所望される。透過率は例えば５０％よりも小さく、又は２０％よりも小さく、又は１０％よりも小さくて良い。このことは典型的には、ティンテッド加工された及び／又は着色された外側パネル及び／又は内側パネルによって、又は複合体の内側におけるティンテッドフィルムによって得られる。ルーフパネルの内側に大面積で配置されている光吸収性の光起電性の層システムによって、可視光によるルーフパネルの透過は好適には減じられるので、外側パネル、基板、熱可塑性層は透明かつクリアに形成することができる。このような透明な外側パネル、基板、熱可塑性層は簡単かつ安価に製造することができ、例えば外側パネル上に塗布される機能的なコーティングによって腐食の危険を減じることができる。光起電性の層システムの領域における可視光によるルーフパネルの透過率は好適には５０％よりも小さい。
【００２４】
光起電性の層システムは、放射エネルギを電気エネルギに変換するために必要な電荷担体分離を起こさせる。光起電性の層システム好適には薄膜システムである。これは数マイクロメータのみの厚さを有する層システムを意味する。特別な利点は、本発明による熱可塑性層の僅かな厚さと大きな柔軟性にある。熱可塑性層の大きな柔軟性は特に、著しい湾曲を有するルーフパネルを形成することができるという利点を有している。
【００２５】
光起電性の層システムは好適には少なくとも１つの光起電に関して活性の吸収層を、前側電極層と背側電極層との間に有している。この場合、前側電極層は、吸収層の、外側パネル側の面上に配置されている。背側電極層は、吸収層の基板側の面上に配置されている。
【００２６】
光起電に関して活性の吸収層は好適には少なくとも１つのｐ型の半導体層を有している。ｐ型の半導体層は例えば、アモルファスシリコン、微結晶シリコン、又は多結晶シリコン、テルル化カドミウム（ＣｄＴｅ）、セレン化カドミウム（ＣｄＳｅ）、ガリウムヒ素（ＧａＡｓ）、又は半導体の有機ポリマ又はオリゴマを含んでいて良い。
【００２７】
ｐ型の半導体は本発明の特に好適な実施態様では、銅−インジウム−硫黄／セレン（ＣＩＳ）のグループから成る化合物、例えば銅−インジウム−ジセレニド（ＣｕＩｎＳｅ２）、又は銅−インジウム−ガリウム−硫黄／セレン（ＣＩＧＳ）のグループから成る化合物、例えばＣｕ（ＩｎＧａ）（ＳＳｅ）２のようなカルコパイライト型半導体を含む。ＣＩ（Ｇ）Ｓベースの半導体層は、太陽光のスペクトルに合わせられたバンドギャップに基づき、特に高い吸収率により優れている。これは、光起電性の層システムの出力に関して特に好適である。さらに、ＣＩ（Ｇ）Ｓベースの吸収層により、彩色することなしにルーフパネルの均一な暗色の印象を得ることができる。吸収層は金属で、好適にはナトリウムでドーピングされている。光起電に関して活性の吸収層は好適には５００ｎｍ〜５μｍの、特に好適には１μｍ〜３μｍの層厚さを有している。
【００２８】
本発明の特に好適な選択的な実施態様では、吸収層は半導体の有機ポリマ又はオリゴマを含んでいる。このような層システムでは透過率を好適には調節することができ、特に活性の吸収層の層厚さ及び材料の選択並びに背側電極の材料の選択により調節することができる。即ち、このような層システムにより、好適な暗い外観を実現することもできる。
【００２９】
背側電極層は例えば少なくとも１種の金属を含んでいて良く、好適には、モリブデン、チタン、タングステン、ニッケル、チタン、クロム及び／又はタンタルを含んでいて良い。背側電極層は好適には、３００ｎｍ〜６００ｎｍの層厚さを有している。
【００３０】
前側電極層は、吸収層が反応するスペクトル範囲で透過性である。前側電極層は例えばｎ型の半導体を含んでいて良く、好適にはアルミニウムドーピングされた酸化亜鉛又はインジウム−酸化スズを含んでいて良い。前側電極層は好適には、５００ｎｍ〜２μｍの層厚さを有している。
【００３１】
電極層は、銀、金、銅、ニッケル、クロム、タングステン、酸化スズ、酸化ケイ素、窒化ケイ素及び／又はこれらの組み合わせ及び混合物を含んでいても良い。
【００３２】
電極層は様々な個別層の積層体を有していても良い。このような積層体は例えば、光起電に関して活性の吸収層内へのイオンの拡散を阻止する、例えば窒化ケイ素から成る拡散遮断層を含むことができる。
【００３３】
光起電性の層システムは勿論、当業者に公知の別の個別層を含んでいても良く、例えば、吸収層と電極層との間の電子的特性を適合させるための緩衝層を含むことができる。
【００３４】
光起電性の層システムは本発明の好適な構成では、背側電極層、吸収層、前側電極層の適当な公知の構造化及び接続により、個別の光起電に関して活性の領域、いわゆる太陽電池に分割することができる。このように分割された光起電性の層システムは、例えば欧州特許出願公開２２０００９７号明細書により公知である。分割は、レーザ書き込みや、例えばドロッシング（Drossing）又はスクラッチングによる機械加工といった適当な構造化技術を用いて裁断することにより行われる。個別の太陽電池は、背側電極層の領域を介して組み込まれた形で互いに直列に接続されている。
【００３５】
熱可塑性層は、光起電性の層システムに電気的に接触するために、好適には公知の集合導体、いわゆるバスバーを含んでいる。バスバーは、前側電極層及び／又は背側電極層に導電的に接続されている。バスバーは、好適には帯材若しくはストリップとして形成されている。バスバーは好適には少なくとも１種の金属又は金属合金を含んでいる、又は金属又は金属合金から成っている。原則的にはフィルムとなるように加工することができるあらゆる導電性材料をバスバーのために使用することができる。バスバーにとって特に適当な材料は例えば、アルミニウム、銅、スズ引き銅、金、銀、スズ、及びこれらの合金である。バスバーは例えば０．０３ｍｍ〜０．３ｍｍの厚さと、２ｍｍ〜１６ｍｍの幅とを有している。バスバーを、第１の熱可塑性フィルムと第２の熱可塑性フィルムとの間に、これらが熱可塑性層を成すように接合される前に、挿入することができる。バスバーはフィルムの接着により所定の位置に保持される。選択的には、バスバーと各電極層との間の導電的な接続を、溶接、ボンディング、ろう接、クランプ、又は導電性の接着剤による接着によって行うことができる。
【００３６】
バスバーは、熱可塑性層の側縁を越えて延在していて良く、熱可塑性層の外側で適当なケーブルを介して電気的に接触させることができる。選択的にはバスバーの電気的接触は、適当なケーブル、好適にはフィルム導体のような平形導体によって、熱可塑性層の内側で行うことができる。このためにはケーブルは、第１の熱可塑性フィルムと第２の熱可塑性フィルムとの接合前にバスバーに接続されるので、ケーブルは熱可塑性層の内部のバスバーから、熱可塑性層の側縁部を越えて延在している。
【００３７】
光起電性の層システムは、物理的に互いに分離された複数のサブセクションに分割することができる。これは、光起電性の層システムの個別層のいずれを介しても互いに直接、即ち別の接続エレメントを使用することなく接続されていないサブセクションを意味する。このようなサブセクションは好適には、１００ｍｍ〜２０００ｍｍの、特に好適には５００ｍｍ〜１０００ｍｍの長さ及び幅を有している。互いに隣接する２つのサブセクションの間の間隔は、好適には１ｍｍ〜１００ｍｍ、特に好適には１０ｍｍ〜５０ｍｍである。サブセクションは例えば矩形の面を有していて良く、互いに平行な列の形で配置されていて良い。個々のサブセクションは好適には導電的な接続エレメントを介して、使用目的に応じて、互いに並列にかつ／又は直列に接続させることができる。導電性の接続エレメントは例えば、少なくとも１種の金属又は金属合金を含む帯材又はストリップとして形成されている。導電性の接続エレメントは好適には少なくとも、アルミニウム、銅、スズ引き銅、金、銀、スズ、及びこれらの合金を含む。導電性の接続エレメントは好適には０．０３ｍｍ〜０．３ｍｍの厚さを有している。光起電性の層システムのサブセクションは複数のグループに分けることもでき、それぞれ１つのグループのサブセクションは互いに直列接続され、この場合、これらのグループは互いに並列に接続されていて、例えば共通のバスバーへの接続により互いに接続されている。
【００３８】
光起電性の層システムの面積は、本発明によるルーフパネルの面積の好適には５０％〜１００％であって、例えば５０％〜９０％である。これは、組み込まれた光起電力モジュール並びにルーフパネルの統一的な外観に関して特に好適である。光起電性の層システムの面積は例えば０．１ｃｍ２〜５ｍ２であって良く、好適には０．５ｍ２〜２ｍ２である。
【００３９】
組み込まれた光起電力モジュールは、好適な構成では１０Ｗ／ｍ２〜３００Ｗ／ｍ２の、特に好適には、５０Ｗ／ｍ２〜１５０Ｗ／ｍ２の最大得られる電力密度ＰMPPを有している。この場合、出力は光起電力モジュールのための通常の標準テスト条件下で測定されている（放射照度１０００Ｗ／ｍ２、温度２５℃、放射スペクトルＡＭ１．５ｇ）。
【００４０】
本発明の課題はさらに、光起電力モジュールが組み込まれたルーフパネルを製造する方法により解決され、この場合、少なくとも
（ａ）光起電性の層システムを熱可塑性層内に設けるステップと、
（ｂ）前記熱可塑性層を、少なくとも１種のポリマを含む基板と外側パネルとの間に層状に配置するステップと、
（ｃ）前記基板を前記外側パネルに前記熱可塑性層を介して、加熱作用下で、かつ／又は真空作用下で、かつ／又は圧力作用下で接合させるステップと、を含んでいる。
【００４１】
熱可塑性層は好適には、少なくとも１つの第１の熱可塑性フィルムと第２の熱可塑性フィルムとから形成されていて、この場合、光起電性のシステムは、第１の熱可塑性フィルムと第２の熱可塑性フィルムとの間に層状に取り付けられている。
【００４２】
光起電性の層システムは第１の熱可塑性フィルムの表面と第２の熱可塑性フィルムの表面とに直接、析出させることができる。光起電性の層システムは選択的に例えば、支持フィルムの上に析出させることができ、これを次いで、第１の熱可塑性フィルムと第２の熱可塑性フィルムとの間に挿入する。第１の熱可塑性フィルムと第２の熱可塑性フィルムとの間には別の層、例えば、接着促進性の層又は別の支持フィルムを配置することができる。
【００４３】
例えば、第１の熱可塑性フィルム又は第２の熱可塑性フィルム又は支持フィルムの表面への光起電性の層システムの析出は、好適には陰極スパッタリング、蒸着、化学気相蒸着（chemical vapour deposition, CVD）によって行われる。
【００４４】
本発明による方法の実施態様ではまず、基板又は外側パネルを準備する。少なくとも第１の熱可塑性フィルムを基板若しくは外側パネルの表面上に配置する。支持フィルム上に光起電性の層システムを設ける場合には、この支持フィルムを第１の熱可塑性フィルム上に層状に配置する。次いで、少なくとも第２の熱可塑性フィルムを第１の熱可塑性フィルム若しくは支持フィルム上に層状に配置する。方法ステップ（ｂ）では、この実施態様で、外側パネル若しくは基板を、第２の熱可塑性フィルム上に配置し、これにより、光起電性の層システムを備えた熱可塑性層が基板と外側パネルとの間に配置される。
【００４５】
選択的な実施態様では、熱可塑性フィルムの一方が基板若しくは外側パネル上に配置されるよりもさらに前に、光起電性の層システムを、少なくとも第１の熱可塑性フィルムと、第２の熱可塑性フィルムとの間に配置する。第１の熱可塑性フィルムと第２の熱可塑性フィルムとは光起電性の層システムを介して大面積で、１つの予め貼り合わせられた熱可塑性層となるように接合される。この接合は、好適には熱、圧力、及び／又は真空の作用下で行われる。方法ステップ（ｂ）では、埋め込まれた光起電性の層システムを備えた予め製造された予備貼合わせ体が基板とルーフパネルとの間に配置される。
【００４６】
このような予備貼合わせ体の利点は、本発明によるルーフパネルの簡単かつ安価な製造にある。予備貼合わせ体は、基板を外側パネルに接合する前に準備することができる。これによりルーフパネルを製造するための従来の方法を使用することができ、この場合、従来は基板を外側パネルに接着するのを仲介していた熱可塑性の中間層が、この予備貼合わせ体に置き換えられる。さらに、光起電性の層システムは予備貼合わせ体の内部で好適には損傷から、特に腐食から保護されている。従って予備貼合わせ体は、ルーフパネルを実際に製造するずっと前に、多数であっても準備することができ、このことは経済的観点からも望ましいことであり得る。予備貼合わせ体は、直接、又は別の熱可塑性フィルムを介して基板及び外側パネルに接合することができる。
【００４７】
好適には、背側電極層及び／又は前側電極層は電気的コンタクトのために、光起電性の層システムを取り付けた後に、第１の熱可塑性フィルムと第２の熱可塑性フィルムの接合前に、例えばバスバー及び／又はフィルム導体に導電接続される。
【００４８】
基板が剛性的なパネルとして形成されている場合、基板は外側パネルに熱可塑性層を介して、複合パネルを製造する公知の方法によって接合される。例えばいわゆるオートクレーブ法を、約１０ｂａｒ〜１５ｂａｒの高められた圧力、１３０℃〜１４５℃の温度で約２時間以上行うことができる。公知の真空バッグ法又は真空リング法は例えば、約２００ｍｂａｒ、１３０℃〜１４５℃で行われる。
【００４９】
外側パネルと、熱可塑性層と、基板とは、カレンダ成形機において、少なくとも１つのロール対の間で、本発明によるルーフパネルとなるように加圧することもできる。このような形式の装置は複合グレージングを製造するために公知であり、プレスユニットの上流側に通常少なくとも１つの加熱トンネルを有している。プレス過程中の温度は例えば４０℃〜１５０℃である。カレンダ成形法とオートクレーブ法の組み合わせが実際に特に有利であることがわかっている。
【００５０】
選択的には真空ラミネータを使用することができる。真空ラミネータは、単数又は複数の加熱可能かつ真空引き可能な室から成っていて、この室内で外側パネルと基板とを、例えば約６０分以内で、０．０１ｍｂａｒ〜８００ｍｂａｒの減じられた圧力及び８０℃〜１７０℃の温度で貼り合わせることができる。
【００５１】
基板がフレキシブルなフィルムとして形成されている場合、基板は外側パネルに熱可塑性層を介して、特に好適な実施態様では以下に記載するように接合される。方法ステップ（ｂ）よりも時間的に前に、又は後に、又は同時に、かつ方法ステップ（ｃ）よりも前に、基板の、外側パネルとは反対の表面上に分離フィルムを配置し、該分離フィルムの、基板とは反対の表面上に支持パネルを配置する。支持パネルは好適には剛性的なパネルであって、好適にはガラス、特に好適にはフラットガラス、フロートガラス、石英ガラス、ホウケイ酸ガラス、又はソーダ石灰ガラス、又はプラスチック、好適にはポリエチレン、ポリプロピレン、ポリカーボネート、ポリメチルメタクリレート、ポリスチレン、ポリアミド、ポリエステル、ポリ塩化ビニル及び／又はこれらの混合物を含有している。支持パネルの厚さは、好適には１．０ｍｍ〜２５ｍｍ、特に好適には１．４ｍｍ〜５ｍｍである。支持パネルの、基板に面した表面はこの場合、外側パネルの、基板に面した表面と同じ湾曲を有しているのが望ましい。支持パネルは即ち、大きさ及び形状に関して、外側パネルに接合されて１つの複合パネルを成すのに原則的に適しているように選択される。分離フィルムは、支持パネルと基板との間の持続的な付着を阻止するのに適した材料から製造されている。分離フィルムは好適には少なくとも１種のポリテトラハロゲンエチレン（polytetrahalogen ethylene）、特に好適には少なくともポリテトラフルオロエチレン、及び／又はポリクロロトリフルオロエチレンを含む。この材料は、分離フィルムの付着阻止特性に関して特に好適である。分離フィルムは好適には、０．０１ｍｍ〜１０ｍｍの、特に好適には０．１ｍｍ〜２．５ｍｍの、例えば０．１ｍｍ〜１ｍｍの厚さを有している。
【００５２】
外側パネルと、熱可塑性層と、基板と、分離フィルムと、支持パネルとから成る積層体には、簡単に、複合パネルを製造する公知の方法を、例えば上述したように実行することができる。これにより、熱可塑性層を介した外側パネルと基板との間の安定的な接合が形成される。分離フィルムの付着阻止効果に基づき、支持パネルは続いて簡単に除去することができる。
【００５３】
本発明の別の側面は、陸上交通、航空交通、水上交通における乗り物での、好適には、列車、市街電車、船、自動車、例えばバス、トラック、特に乗用車での、本発明によるルーフパネルの使用を含んでいる。組み込まれた光起電力モジュールにより得られる電気エネルギにより、例えば電気自動車のバッテリを冷却することができ、駐車中の車室を冷やすことができ、車両の二次バッテリを充電することができ、駐車中に加熱可能な窓を作動させることができる。
【００５４】
本発明を図面及び実施態様につき詳しく説明する。図面は概略図であって、正確な寸法ではない。図面は本発明を限定するものではない。
【図面の簡単な説明】
【００５５】
【図１】本発明による光起電力モジュールが組み込まれたルーフパネルの実施態様を示す横断面図である。
【図２】図１の区分Ｚを拡大して示した図である。
【図３】本発明によるルーフパネルを製造する前の基板、熱可塑性層、外側パネル、分離フィルム、支持パネルの横断面図である。
【図４】本発明による方法の実施例をフローチャートで示した図である。
【００５６】
図１及び図２には、本発明による光起電力モジュールが組み込まれたルーフパネルのそれぞれ１つの詳細が示されている。ルーフパネルは、基板１と外側パネル２とを有しており、これら基板１と外側パネル２とは熱可塑性層３を介して互いに接合されている。ルーフパネルは自動車のルーフパネルである。外側パネル２は、熱的に予負荷されたソーダ石灰ガラスから成っており、３ｍｍの厚さを有している。基板１はポリフッ化ビニル（デュポン社のテドラー（Ｔｅｄｌａｒ  商標名））から成っており、０．８ｍｍの厚さを有している。外側パネル２と基板１の互いに反対側の表面が、ルーフパネルの外面を成している。この場合、外側パネル２の、基板１とは反対の側の表面は、組み込み位置で外部の環境に面しており、基板１の、外側パネル２とは反対側の表面は車両内室に面している。ルーフパネルは、自動車のルーフパネルにとって通常であるように湾曲されて成形されている。ルーフパネルは、１１０ｃｍの幅と１３０ｃｍの長さとを有している。
【００５７】
熱可塑性層３は、第１の熱可塑性フィルム４と第２の熱可塑性フィルム５とから成っている。第１の熱可塑性フィルム４と第２の熱可塑性フィルム５とは、エチレンビニルアセテート（ＥＶＡ）から成っていてそれぞれ約０．７ｍｍの厚さを有している。熱可塑性フィルム４，５は明瞭にするために概略的に示されている。ルーフパネルの貼り合わせ後は、熱可塑性フィルム４，５が同じ材料から成っている場合には特に、熱可塑性フィルム４，５の間の移行部が明確な境界として見えてはならない。第１の熱可塑性フィルム４と第２の熱可塑性フィルム５との間には、光起電性の層システム６が配置されている。光起電性の層システム６は熱可塑性層３の側縁部までは延びていない。約５０ｍｍの幅を有する熱可塑性層３の環状の縁部領域には、光起電性の層システム６は設けられていない。この縁部領域において、第１の熱可塑性フィルム４と第２の熱可塑性フィルム５とは互いに直接接合されている。従って、光起電性の層システム６は熱可塑性層３の内部で好適に環境的影響から、特に腐食から保護されている。光起電性の層システム６は全体で約１．２ｍ２の面積を有している。従って、光起電性の層システム６の面積は、ルーフパネル面積の約８４％である。
【００５８】
光起電性の層システム６は、モリブデンを含む背側電極層１０を有していて、その層厚さは約３００ｎｍである。光起電性の層システム６はさらに光起電に関して活性の吸収層１１を有しており、この吸収層１１は、ナトリウムをドーピングされたＣｕ（ＩｎＧａ）（ＳＳｅ）2を含有し、約２μｍの層厚さを有している。光起電性の層システム６はさらに、前側電極層１２を有しており、この前側電極層１２は、アルミニウムをドーピングされた酸化スズ（ＡＺＯ）を含有し、約１μｍの層厚さを有している。前側電極層１２と吸収層１１との間には、緩衝層（図示せず）が配置されており、この緩衝層は、単層の硫化カドミウム（ＣｄＳ）と単層の真性（intrinsisch）の酸化亜鉛（ｉ-ＺｎＯ）とを有している。緩衝層は、吸収層１１と前側電極層１２との間における電気的な適合を生ぜしめる。
【００５９】
光起電性の層システム６は複数のサブセクション７に分割されている。これらのサブセクション７は物理的に互いに分離されていて、即ち、光起電性の層システム６の個別層のいずれを介しても互いに直接結合されてはいない。光起電性の層システム６は全部で９個のこのようなサブセクション７を有しており、これら９個のサブセクションは、それぞれ３つのサブセクション７を有した互いに平行に位置する３つの列に配置されている。図１にはこの列のうちの１つの横断面が示されている。この１つの列のサブセクション７はそれぞれ互いに直列に接続されている。接続は、それぞれ隣接するサブセクション７の電極層１０，１２の間の適当な電気的接続によって、導電性接続エレメント８を介して行われる。導電性接続エレメント８は、アルミニウムから成るストリップとして形成されていて、約０．２ｍｍの厚さを有している。互いに隣接するサブセクション７の間の間隔は約５ｍｍである。直列接続されたサブセクション７の図示した列の両外側のサブセクション７は、それぞれ１つのバスバー（図示せず）に接続されている。バスバーにはそれぞれ、フィルム導体（図示せず）が接続されており、このフィルム導体は熱可塑性層３の側縁部を越えて延在しており、外側の電気接続部として働く。互いに直列に接続されたサブセクション７の３つの列はそれぞれ同じバスバーに接続されていて、即ちこれらの列は並列に接続されている。
【００６０】
光起電性の層システム６のサブセクション７はそれぞれ、薄膜光起電力モジュールを製造する公知の方法で、光起電に関して活性の個々の領域、いわゆる太陽電池９に分割されている。１つのサブセクション７の太陽電池９は、背側電極層１０の領域と、背側電極層１０へと戻し案内される前側電極層１２の領域とを介して、一体的に統合された形で互いに直列に接続されている。
【００６１】
図３には、本発明による方法の好適な実施態様によってルーフパネルに取り付ける前の本発明によるルーフパネルの構成部分の横断面図が示されている。基板１と、第１の熱可塑性フィルム４と光起電性の層システム６と第２の熱可塑性フィルム５とを有した熱可塑性層３と、外側パネル２とは層状に互いに重ねられて配置されている。熱可塑性フィルム４，５と光起電性の層システム６とは選択的に予め貼り合わせられた熱可塑性層３として設けられていても良い。基板１と、熱可塑性層３と、光起電性の層システム６と、外側パネル２とは、図１のルーフパネルの場合と同様に構成されている。基板１の、外側パネル２とは反対の表面上には支持パネル１４が配置されている。支持パネル１４はソーダ石灰ガラスから成っていて、大きさ及び形状は外側パネル２と同様に形成されている。支持パネル１４と基板１との間には分離フィルム１３が配置されている。分離フィルム１３は、ポリテトラフルオロエチレンから成っていて、１ｍｍの厚さを有している。分離フィルム１３は基板１の表面全体を覆っている。分離フィルム１３の面積は少なくとも基板１の表面積と同じ大きさであるが、図示した例のように基板１よりも大きくても良く、基板１の側縁を越えて突出していても良い。
【００６２】
基板１がフレキシブルなフィルムとして形成されているにもかかわらず、支持パネル１４により本発明によるルーフパネルは簡単に製造することができる。基板１とルーフパネル２とを熱可塑性層３を介して接合するためには、複合ガラスを製造するための公知の方法で簡単に、支持パネル１４と、分離フィルム１３と、基板１と、熱可塑性層３と、外側パネル２とから積層体を形成することができる。これにより、外側パネル２と基板１との間の安定的な接合が熱可塑性層３を介して得られる。分離フィルム１３は、支持パネル１４と基板１との間の付着を阻止する。ルーフパネルの製造後は支持パネル１４と分離フィルム１３とは簡単に取り除くことができる。
【００６３】
図４には、本発明による、光起電力モジュールが組み込まれたルーフパネルを製造する方法の実施態様の例が示されている。本発明によるポリマ基板１により、光起電力モジュールが組み込まれた従来のルーフパネルと比較して著しく減じられた重量でありながら、例えば自動車のルーフパネルとして使用することができるほど十分な堅牢性を備えたルーフパネルを実現することができることが示された。光起電性の層システム６を備えた熱可塑性層３の柔軟性により、大きな曲率半径を有したルーフパネルを実現することもできる。さらに、光起電性の層システム６は熱可塑性層３内に大面積で配置することができる。本発明のこのような利点は当業者には予期せぬことで驚きであった。
【符号の説明】
【００６４】
１  基板
２  外側パネル
３  熱可塑性層
４  第１の熱可塑性フィルム
５  第２の熱可塑性フィルム
６  光起電性の層システム
７  光起電性の層システム６のサブセクション
８  導電性接続エレメント
９  太陽電池
１０  背側電極層
１１  吸収層
１２  前側電極層
１３  分離フィルム
１４  支持パネル
Ｚ  ルーフパネルの部分
【図１】
0006328105.tif 000002
【図２】
0006328105.tif 000003
【図３】
0006328105.tif 000004
【図４】
0006328105.tif 000005